(57)【要約】【課題】縮退抵抗のばらつきや温度変化による利得の変動を抑制できる増幅器を提供する。【解決手段】信号入力端子ＩＮからの入力信号を増幅して抵抗値に依存する信号電流を出力する増幅段１１を有する集積回路により構成される増幅器において、分配比が可変の電流分配器１２により増幅段１１からの出力信号電流の一部を負荷１３に分配し、制御回路１４によって集積回路内に形成された抵抗の抵抗値に比例する制御電圧または温度に比例する制御電圧を生成し、この制御電圧に従って電流分配器１２の分配比を制御する。【選択図】    図１
2005026894.tif 000002
【特許請求の範囲】
【請求項１】
集積回路により形成される増幅器において：
信号入力端子からの入力信号を増幅して抵抗値に依存する信号電流を出力する増幅段と；
信号出力端子に接続された負荷と；
前記信号電流の一部を前記負荷に分配する分配比可変の電流分配器と；
前記集積回路内に形成された抵抗の抵抗値に依存する制御電圧または温度に依存する制御電圧によって前記分配比を制御する制御回路とを具備する増幅器。
【請求項２】
前記制御回路は、前記集積回路内に形成された抵抗の抵抗値に比例若しくは反比例する制御電圧によって前記分配比を制御する請求項１記載の増幅器。
【請求項３】
前記制御回路は、温度に比例若しくは反比例する制御電圧によって前記分配比を制御する請求項１記載の増幅器。
【請求項４】
前記増幅段は、増幅用トランジスタ及び該増幅用トランジスタのエミッタ端子またはソース端子に接続された縮退抵抗を有する請求項１または２記載の増幅器。
【請求項５】
前記負荷はインダクタである請求項１記載の増幅器。
【請求項６】
前記電流分配器は、前記増幅段の出力端子に接続された共通エミッタ端子または共通ソース端子を有する第１のトランジスタ及び第２のトランジスタを含み、第１のトランジスタのコレクタ端子またはドレイン端子は前記信号出力端子に接続され、第２のトランジスタのコレクタ端子またはドレイン端子は電源に接続されており、
前記制御回路は、前記集積回路内の抵抗の抵抗値に依存する制御電圧を前記第１のトランジスタのベース端子またはゲート端子と前記第２のトランジスタのベース端子またはゲート端子との間に供給する請求項１記載の増幅器。
【請求項７】
前記制御回路は、コレクタ端子とベース端子またはドレイン端子とゲート端子が接続され、ベース端子またはゲート端子が前記第１のトランジスタのベース端子またはゲート端子に接続された第３のトランジスタと；
前記第３のトランジスタと共通のエミッタ端子またはソース端子を有し、ベース端子またはゲート端子が前記第２のトランジスタのベース端子またはゲート端子に接続された第４のトランジスタと；
前記第３のトランジスタのコレクタ端子とベース端子またはドレイン端子とゲート端子に接続された、前記集積回路内の抵抗の抵抗値に依存しない第１電流を発生する第１の電流源と；
前記第３のトランジスタと第４のトランジスタの共通エミッタ端子または共通ソース端子に接続された、前記抵抗値に反依存する第２電流を発生する第２の電流源とを有する請求項６記載の増幅器。
【請求項８】
前記第１の電流源は、前記集積回路の外部に設けられた抵抗を含み、前記第１電流を発生する請求項７記載の増幅器。
【請求項９】
前記電流分配器は、前記増幅段の出力端子に接続された共通エミッタ端子または共通ソース端子を有する第１のトランジスタ及び第２のトランジスタを含み、第１のトランジスタのコレクタ端子またはドレイン端子は前記信号出力端子に接続され、第２のトランジスタのコレクタ端子またはドレイン端子は電源に接続されており、
前記制御回路は、温度に依存する制御電圧を前記第１のトランジスタのベース端子またはゲート端子と前記第２のトランジスタのベース端子またはゲート端子との間に供給する請求項１記載の増幅器。
【請求項１０】
前記制御回路は、温度に依存する第３電流を発生する第３の電流源と；
前記第３電流が供給され、一端が前記第１のトランジスタのベース端子またはゲート端子に接続され、他端が前記第２のトランジスタのベース端子またはゲート端子に接続された、前記制御電圧を発生する抵抗とを有する請求項９記載の増幅器。
【請求項１１】
請求項１乃至１０のいずれか１項記載の増幅器を具備する無線通信装置。
【発明の詳細な説明】
【０００１】
【発明の属する技術分野】
本発明は、増幅器及びこれを用いた無線通信装置に関する。
【０００２】
【従来の技術】
線形動作範囲を広げるために、トランジスタのエミッタ端子またはソース端子に縮退インピーダンス素子を接続し、コレクタ端子またはドレイン端子から出力を取り出すようにした増幅器は、例えば非特許文献１の第１９９頁に記載されている。このような増幅器の電圧利得は、
【数１】
2005026894.tif 000003
で与えられる。ここで、Ｇｖは電圧利得、ｇｍはトランスコンダクタンス、Ｒｄは縮退インピーダンスの抵抗値、Ｒｌはコレクタ端子またはドレイン端子に接続される負荷の抵抗値である。１＜＜ｇｍＲｄであれば、電圧利得Ｇｖは以下のように抵抗値のばらつきの影響を受けない。
【０００３】
【数２】
2005026894.tif 000004
【０００４】
【非特許文献１】
“Ａｎａｌｙｓｉｓ  Ａｎｄ  Ｄｅｓｉｇｎ  ｏｆ  Ａｎａｌｏｇ  Ｉｎｔｅｇｒａｔｅｄ  Ｃｉｒｃｕｉｔｓ”，  Ｇｒａｙ，  Ｈｕｒｓｔ，  Ｌｅｗｉｓ  ａｎｄ  Ｍａｙｅｒ，  ＷＩＬＥＹ  （ｐ．１９９）
【０００５】
【発明が解決しようとする課題】
厳しい雑音特性が要求される低雑音増幅器（ＬＮＡ）においては、縮退インピーダンス素子及び負荷の両方に抵抗を用いると、その要求を十分満足することが難しいとされている。
【０００６】
低利得増幅器と高利得増幅器を並列に接続し、負荷を共通にした増幅器も知られているが、このような増幅器では低利得増幅器に歪特性を考慮して縮退インピーダンス素子に値の大きなインダクタが必要となる。このため、インダクタが集積回路内部で実現するには困難な大きさになることもある。
【０００７】
一方、負荷にインダクタを用い、縮退インピーダンス素子に抵抗を用いた増幅器は、省スペース化ができ、集積回路のチップ面積を小さくすることができる利点を有するが、縮退抵抗のばらつきや温度変化によって利得が変動してしまうという問題がある。
【０００８】
本発明の目的は、縮退抵抗のばらつきや温度変化による利得の変動を抑制できる増幅器及びこれを用いた無線通信装置を提供することにある。
【０００９】
【課題を解決するための手段】
上記の課題を解決するため、本発明は集積回路により形成される増幅器において、信号入力端子からの入力信号を増幅して抵抗値に依存する信号電流を出力する増幅段と、信号出力端子に接続された負荷と、増幅段から出力される信号電流の一部を負荷に分配する分配比可変の電流分配器と、集積回路内に形成された抵抗の抵抗値に依存する制御電圧または温度に依存する制御電圧によって電流分配器の分配比を制御する制御回路とを有する。増幅段は、例えば増幅用トランジスタ及び該増幅用トランジスタのエミッタ端子またはソース端子に接続された縮退抵抗を含み、また負荷にはインダクタが好適に用いられる。
【００１０】
例えば、抵抗値に依存する制御電圧で電流分配器の分配比を制御する場合においては、抵抗値が大きくなると制御電圧が小さくなり、抵抗値が小さくなると制御電圧が大きくなるような制御を行うことで、抵抗値が変動しても増幅器の利得を一定に保つことができる。同様に、温度に依存する制御電圧で電流分配器の分配比を制御する場合において、温度が上がったときに制御電圧が低く、温度が下がったときに制御電圧が高くなるような制御を行うことにより、温度が変動しても増幅器の利得を一定に保つことができる。
【００１１】
電流分配器は、例えば増幅段の出力端子に接続された共通エミッタ端子または共通ソース端子を有する第１のトランジスタ及び第２のトランジスタを含み、第１のトランジスタのコレクタ端子またはドレイン端子は信号出力端子に接続され、第２のトランジスタのコレクタ端子またはドレイン端子は電源に接続される。
【００１２】
制御回路は、第１の態様によると、集積回路内の抵抗の抵抗値に比例する制御電圧を第１のトランジスタのベース端子またはゲート端子と第２のトランジスタのベース端子またはゲート端子との間に供給する。制御回路は、第２の態様によると、温度に比例する制御電圧を第１のトランジスタのベース端子またはゲート端子と第２のトランジスタのベース端子またはゲート端子との間に供給する。
【００１３】
さらに、本発明によると上述の増幅器を用いた無線通信装置を提供する。具体的には、例えば受信された高周波信号を増幅する低雑音増幅器と、ローカル信号を増幅するローカル信号増幅器と、ローカル信号増幅器により増幅されたローカル信号を用いて、低雑音増幅器により増幅された高周波信号を所望周波数に変換する周波数変換器を有する無線通信装置において、低雑音増幅器及びローカル信号増幅器の少なくとも一方に、本発明に係る増幅器が適用される。
【００１４】
【発明の実施の形態】
以下、図面を参照して本発明の実施の形態を説明する。
図１に、本発明の一実施形態に係る増幅器の基本構成を示す。本実施形態の増幅器は、一つの集積回路チップ内に実装される。信号入力端子ＩＮには、入力信号として例えばＲＦ信号が入力され、この入力信号は増幅段１１によって増幅される。増幅段１１は電圧−電流変換増幅器であり、信号入力端子ＩＮへの入力信号電圧に対応した出力信号電流を発生する。ここで、後述するように増幅段１１からの出力信号電流は、集積回路内に形成される抵抗（以下、集積回路内抵抗と呼ぶ）の抵抗値、例えば増幅段１１に用いられている縮退抵抗の抵抗値に依存する。
【００１５】
増幅段１１の出力端子には、電流分配器１２の共通端子が接続される。電流分配器１２は、この例では二つの分配端子を有し、第１分配端子は負荷１３の一端に接続され、第２分配端子は負荷１３の他端と共に電源Ｖｃｃに接続される。負荷１３の一端には、信号出力端子ＯＵＴが接続される。電流分配器１２は電流の分配比、つまり電源Ｖｃｃから負荷１３を介して第１の分配端子に流れ込む電流と電源Ｖｃｃから第２の分配端子に流れ込む電流との電流比が可変に構成されており、その分配比は制御回路１４によって制御される。
【００１６】
増幅段１１は、例えば図２に示されるようなバイポーラトランジスタＱ１０と縮退抵抗（エミッタ縮退抵抗ともいう）Ｒｄを含むエミッタ接地増幅器が用いられる。トランジスタＱ１０のベース端子は信号入力端子ＩＮに接続され、エミッタ端子は縮退抵抗Ｒｄを介して定電位点、例えばグラウンドＧＮＤに接続されている。トランジスタＱ１０のコレクタ端子から、信号入力端子ＩＮへの入力信号電圧に対応し、かつ縮退抵抗Ｒｄの抵抗値に反比例した出力信号電流が取り出される。
【００１７】
本実施形態によると、制御回路１４によって電流分配器１２の分配比を制御することにより、縮退抵抗Ｒｄのばらつきや周囲の温度変化に対して増幅器の利得を安定化することができる。以下、より具体的な実施形態に従って説明する。
【００１８】
図３に、図１の増幅器をより具体的に示した第１の例を示す。図３の増幅器においては、電流分配器１２の分配比を制御する制御回路１４は、抵抗値に依存しない電流を発生する電流源２１と、電流源２１の電流を参照して集積回路内抵抗の抵抗値に比例する制御電圧を電流分配器１２に供給する抵抗値比例制御電圧発生回路２２からなる。
【００１９】
今、集積回路内抵抗の抵抗値のばらつきによって、縮退抵抗Ｒｄの抵抗値が増減すると、増幅段１１からの出力信号電流が増減し、それに伴って負荷１３を流れる電流も増減しようとする。ここで、抵抗値比例制御電圧発生回路２２から抵抗値に比例する制御電圧を供給すると、これに伴って分配比が増減する。これにより、増幅段１１からの縮退抵抗Ｒｄの抵抗値に比例して変化する出力信号電流の増減が補償され、負荷１３を流れる電流が縮退抵抗Ｒｄの抵抗値ばらつきに対して一定に保たれる。
【００２０】
図４に、図３に示した増幅器のさらに具体的な回路例を示す。
電流分配器１２は、バイポーラトランジスタＱ２１，Ｑ２２の差動対によって形成される。トランジスタＱ２１，Ｑ２２の共通エミッタ端子は、増幅段１１のトランジスタＱ１０のコレクタ端子に接続される。トランジスタＱ２１のコレクタ端子は第１分配端子であり、負荷１３の一端に接続される。負荷１３は、この例ではインダクタが用いられる。トランジスタＱ２２のコレクタ端子は第２分配端子であり、電源Ｖｃｃに接続される。
【００２１】
一方、抵抗値比例制御電圧発生回路２２は、バイポーラトランジスタＱ２３，Ｑ２４と、集積回路内抵抗の抵抗値に反比例する電流Ｉａ∝１／Ｒ（Ｒは集積回路内抵抗の抵抗値）を発生する電流源２３を有する。コレクタ端子とベース端子が接続された、すなわちダイオード接続されたトランジスタＱ２３のコレクタ端子は、抵抗値に依存しない電流を流す電流源２１に接続される。トランジスタＱ２３のベース端子は、電流分配器１２内の一方のトランジスタＱ２１のベース端子に接続される。トランジスタＱ２４のベース端子は、電流分配器１２内の他方のトランジスタＱ２２のベース端子に接続される。トランジスタＱ２４のコレクタ端子は電源Ｖｃｃに接続される。
【００２２】
このように図４によると、抵抗値比例制御電圧発生回路２２のトランジスタＱ２３，Ｑ２４のベース端子間に発生する電圧が電流分配器１２内のトランジスタＱ２１，Ｑ２２のベース端子間に、電流分配器１２の分配比を制御するための制御電圧Ｖｃとして供給される。
【００２３】
図５には、抵抗値に依存しない電流を発生する電流源２１の具体例を示す。電流源２１は、ベース端子に一定のバイアス電圧Ｖｂｉａｓが与えられたバイポーラトランジスタＱｃと、トランジスタＱｃのエミッタ端子に接続された抵抗Ｒｅを有する。抵抗Ｒｅの値によって、トランジスタＱｃのコレクタ端子に流入する電流の値が決定される。ここで、抵抗Ｒｅは集積回路ＩＣの外部に設けられた、いわゆる外付け抵抗が用いられる。集積回路内抵抗は抵抗値のばらつきが大きいのに対して、外付け抵抗Ｒｅには抵抗値のばらつきの非常に小さな抵抗を用いることにより、トランジスタＱｃのコレクタ電流を抵抗値に依存しないようにすることができる。
【００２４】
次に、図４に示す増幅器の動作を説明する。
抵抗値比例制御電圧発生回路２２において、トランジスタＱ２３のコレクタ端子には電流源２１の電流Ｉｒｅｆがそのまま流れる。一方、トランジスタＱ２４のコレクタ端子には電流源２１を流れる電流Ｉｒｅｆと電流源２３を流れる電流Ｉａの差電流がコレクタ電流Ｉｂとして流れる。集積回路内抵抗の抵抗値が増大した場合、電流源２３を流れる電流Ｉａは反比例して減少するため、それに伴ってトランジスタＱ２４のコレクタ電流Ｉｂも減少する。
【００２５】
抵抗値比例制御電圧発生回路２２及び電流分配器１２においては、トランジスタＱ２３のベース端子とトランジスタＱ２１のベース端子が接続され、トランジスタＱ２４のベース端子とトランジスタＱ２２のベース端子が接続される。従って、トランジスタＱ２１のコレクタ端子には、トランジスタＱ２３のコレクタ電流Ｉｒｅｆに比例したコレクタ電流Ｉｃが負荷１３を介して流れ、トランジスタＱ２２のコレクタ端子には、トランジスタＱ２４のコレクタ電流Ｉｂに比例したコレクタ電流Ｉｄが流れる。すなわち、例えば電流Ｉｂが減少すれば、電流Ｉｄも減少する。一方、電流Ｉｃは集積回路内抵抗の抵抗値によらず、電流Ｉｒｅｆと同様に一定に保たれる。
【００２６】
ここで、もし集積回路内抵抗の抵抗値が増大すると、集積回路内抵抗の一つである、増幅段１１の縮退抵抗Ｒｄの抵抗値が増大するため、トランジスタＱ１０のコレクタ電流、つまり増幅段１１からの出力信号電流は減少する。このとき電流源２３の電流Ｉａは、集積回路内抵抗の抵抗値に反比例するため減少し、これに伴ってトランジスタＱ２４のコレクタ電流Ｉｂも減少する。トランジスタＱ２４のコレクタ電流Ｉｂが減少すると、トランジスタＱ２４とベース端子同士が接続されているトランジスタＱ２２のコレクタ電流Ｉｄも減少する。
【００２７】
一方、負荷１３が接続されているトランジスタＱ２１のコレクタ電流Ｉｃは、トランジスタＱ２１とベース端子同士が接続されているトランジスタＱ２３のコレクタ電流が一定（Ｉｒｅｆ）であるため、変化しない。すなわち、集積回路内抵抗の抵抗値が増大した場合、縮退抵抗Ｒｄの増大による増幅段１１から出力信号電流の減少は、トランジスタＱ２２のコレクタ電流Ｉｄの減少によって賄われ、負荷１３がコレクタ端子に接続されているトランジスタＱ２１のコレクタ電流Ｉｃには影響を与えない。従って、負荷１３を流れる電流はほぼ一定（Ｉｃ）に保たれ、増幅器の利得もほぼ一定に保たれる。集積回路内抵抗の抵抗値が減少した場合も、同様に利得はほぼ一定に保たれる。
【００２８】
次に、図６には図１の増幅器をより具体的に示した第２の例を示す。図６の増幅器によると、電流分配器１２の分配比を制御する制御回路１４は、温度に比例し、かつ集積回路内抵抗の抵抗値に反比例する電流を発生する電流源３１と、電流源３１の電流を参照して温度に比例した制御電圧Ｖｃを発生する温度比例制御電圧発生回路３２を有する。
【００２９】
周囲の温度が変動することによって、集積回路内抵抗の抵抗値が増減し、縮退抵抗Ｒｄの抵抗値が増減すると、増幅段１１からの出力信号電流が増減し、それに伴って負荷１３を流れる電流も増減しようとする。ここで、温度比例制御電圧発生回路３２から温度に比例する制御電圧Ｖｃを供給すると、これに伴って電流分配器１２の分配比が増減する。これによって、増幅段１１からの縮退抵抗Ｒｄの抵抗値に比例して変化する出力信号電流の増減が補償され、負荷１３を流れる電流が温度変動による縮退抵抗Ｒｄの抵抗値の増減に対して一定に保たれる。
【００３０】
図７に、図３に示した増幅器のさらに具体的な回路例を示す。温度比例制御電圧発生回路３２は、この例では抵抗Ｒｓが用いられている。抵抗Ｒｓの一端はバイアス電源Ｖｂに接続され、他端は電流源３１に接続される。抵抗Ｒｓは集積回路内に形成されるので、ばらつきがある。一方、電流源３１は温度に比例しかつ集積回路内抵抗の抵抗値に反比例する電流Ｉｒｅｆ∝１／Ｒ，Ｔ（Ｒは集積回路内抵抗の抵抗値、Ｔは温度）を流す。従って、集積回路内抵抗の抵抗値増減による電流源３１の電流Ｉｒｅｆの変動は、抵抗Ｒｓの抵抗値増減により相殺されるので、結果として抵抗Ｒｓの両端には集積回路内抵抗の抵抗値ばらつきには依存せず、温度に対してのみ比例する電圧が発生する。
【００３１】
このようにして抵抗Ｒｓの両端に発生する温度に比例する電圧は、電流分配器１２内の差動対のトランジスタＱ２１，Ｑ２２のベース端子間に、分配比を制御するための制御電圧Ｖｃとして供給される。従って、温度変動による増幅段１１の縮退抵抗Ｒｄの抵抗値の増減に伴う、増幅段１１からの出力信号電流の増減に対して、負荷１３を流れる電流を一定とし、増幅器の利得を一定に保つことができる。
【００３２】
すなわち、集積回路内に形成される抵抗は一般に負の温度係数を持ち、温度が上昇すると抵抗値は減少する。例えば温度が低下すると、縮退抵抗Ｒｄの抵抗値が増大し、増幅段１１からの出力信号電流（トランジスタＱ１０のコレクタ電流）は減少する。電流源３１からの温度に比例する電流Ｉｒｅｆは、温度の低下に伴い減少するので、抵抗Ｒｓの両端に生じる制御電圧Ｖｃが低下する。
【００３３】
電流分配器１２において、トランジスタＱ２１はそのベース端子がバイアス電源Ｖｂに接続されているため、制御電圧Ｖｃが変化してもコレクタ電流Ｉｃは変化しない。これに対して、トランジスタＱ２２はそのベース端子に制御電圧Ｖｃの変化がそのまま与えられるため、温度の低下に伴って制御電圧Ｖｃが低下するとコレクタ電流Ｉｄが減少する。すなわち、温度が低下した場合、縮退抵抗Ｒｄの増大による増幅段１１から出力信号電流の減少は、トランジスタＱ２２のコレクタ電流Ｉｄの減少によって賄われるので、トランジスタＱ２１のコレクタ電流Ｉｃには影響を与えない。従って、温度変化に対して負荷１３を流れる電流はぼ一定（Ｉｃ）に保たれ、増幅器の利得もほぼ一定に保たれる。
【００３４】
図８に、本実施形態による温度補償を施した増幅器と温度補償無しの従来の増幅器の利得の温度特性を示す。本実施形態の増幅器は温度変化に対して利得が安定化されていることが分かる。
【００３５】
本発明の実施形態で用いる種々の電流源の具体的な構成は、特に限定されるものではないが、例えば先に挙げた非特許文献１の第３３０頁に記載された電流源の構成法を適用することができる。
【００３６】
上述の各実施形態では、バイポーラトランジスタを用いた増幅器について述べたが、ＭＯＳトランジスタのようなＦＥＴを用いた増幅器にも本発明を適用できる。ＦＥＴを用いる増幅器では、バイポーラトランジスタのベース端子、コレクタ端子及びエミッタ端子をそれぞれＦＥＴのゲート端子、ドレイン端子及びソース端子に置き換えて考えればよいことは、当業者において自明であるため、図示を省略する。
【００３７】
次に、本発明による増幅器を無線通信装置に適用した実施形態について説明する。図９には、携帯電話機その他の携帯通信端末のような無線通信装置における受信系の主要部の構成を示す。
【００３８】
アンテナ１００により受信された高周波信号（ＲＦ信号）は、まず低雑音増幅器１０１により所要レベルまで増幅される。低雑音増幅器１０１の出力信号はバンドパスフィルタ１０２により不要成分が除去された後、ミキサ１０３のＲＦ入力端に入力される。一方、図示しないローカル信号発生器から端子１０４に入力される第１ローカル信号は、ローカル信号増幅器１０５により所要レベルまで増幅された後、ミキサ１０３のローカル入力端に入力される。
【００３９】
ミキサ１０３では、フィルタ１０２から出力されるＲＦ信号がローカル信号増幅器１０５から出力されるローカル信号と混合されることによって、所望周波数の中間周波数信号に変換される。中間周波数信号は、例えばＳＡＷ（表面弾性波）フィルタ１０６を介して次段の中間周波段に入力される。
【００４０】
ここで、低雑音増幅器１０１あるいはさらにローカル信号増幅器１０５に先に説明した本発明の実施形態に基づく増幅器を利用することにより、集積回路内抵抗の抵抗値ばらつきや温度変化に対して安定した特性を有する無線通信装置を実現することができる。
【００４１】
なお、本発明は上記した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。具体的には、例えば図３または図４と図６または図７の構成を組み合わせることもでき、これにより集積回路内抵抗の抵抗値ばらつきと温度変動の両方に対して利得を安定化した増幅器を実現することが可能となる。
【００４２】
【発明の効果】
以上説明したように、本発明によると抵抗値のばらつきや温度変化による利得の変動が抑制される増幅器を提供できる。さらに、該増幅器を用いることによって、抵抗値のばらつきや温度変化に対して特性が安定された無線通信装置を提供することができる。
【図面の簡単な説明】
【図１】本発明の一実施形態に係る増幅器の基本構成を示すブロック図
【図２】増幅段の例を示す回路図
【図３】図１に示した増幅器を具体化した第１の例を示すブロック図
【図４】図２に示した増幅器をさらに具体的に示す回路図
【図５】集積回路内抵抗の抵抗値に依存しない電流源の例を示す回路図
【図６】図１に示した増幅器を具体化した第２の例を示すブロック図
【図７】図６に示した増幅器をさらに具体的に示す回路図
【図８】本発明の一実施形態に係る増幅器の利得の温度依存性を示す図
【図９】本発明の一実施形態に係る増幅器を用いた無線通信装置の主要部の構成を示すブロック図
【符号の説明】
ＩＮ…信号入力端子、ＯＵＴ…信号出力端子、１１…増幅段、１２…電流分配器、１３…負荷、１４…制御回路、Ｑ１０…増幅用トランジスタ、Ｒｄ…縮退抵抗、２１…集積回路内抵抗の抵抗値に依存しない電流源、２２…抵抗値比例制御電圧発生回路、２３…集積回路内抵抗の抵抗値に反比例する電流源、３１…温度に比例し集積回路内抵抗の抵抗値に反比例する電流源、３２…温度比例制御電圧発生回路、Ｒｓ…制御電圧発生用抵抗、Ｑ２１，Ｑ２２，Ｑ２３，Ｑ２４…第１乃至第４のトランジスタ、１００…アンテナ、１０１…低雑音増幅器、１０２…バンドパスフィルタ、１０３…ミキサ、１０４…ローカル信号入力端子、１０５…ローカル信号増幅器、１０６…ＳＡＷフィルタ。
【図１】
2005026894.tif 000005
【図２】
2005026894.tif 000006
【図３】
2005026894.tif 000007
【図４】
2005026894.tif 000008
【図５】
2005026894.tif 000009
【図６】
2005026894.tif 000010
【図７】
2005026894.tif 000011
【図８】
2005026894.tif 000012
【図９】
2005026894.tif 000013